(57)【要約】【課題】液状被包装物を供給する送液ポンプを、間欠運転や加減速運転させることなく、液状被包装物を所要の流量で、かつ所要のタイミングで充填ノズルに供給することのできる液状被包装物の吐出制御装置と吐出制御方法を提供すること。【解決手段】タンクから液状被包装物を所要の流量で連続して供給するポンプと、該ポンプと液状被包装物を吐出するノズルとをつなぐメイン配管と、内部に被加圧媒体を有し、液状被包装物を前記メイン配管から分岐させて一時的に蓄積するバッファー装置と、前記メイン配管上の、前記ノズルに隣接する位置に設けられ、該メイン配管からノズルに供給される液状被包装物の流量を調整する絞り弁と、を備え、前記バッファー装置は、前記被加圧媒体の容積を減らしながら液状被包装物を蓄積する一方、その蓄積した液状被包装物を、被加圧媒体の容積を増やしながら、その被加圧媒体の圧力によって流出させるように構成されている。【選択図】図２
2020075732.tif 000002
【特許請求の範囲】
【請求項１】
タンクから液状被包装物を所要の流量で連続して供給するポンプと、
該ポンプと液状被包装物を吐出するノズルとをつなぐメイン配管と、
内部に被加圧媒体を有し、液状被包装物を前記メイン配管から分岐させて一時的に蓄積するバッファー装置と、
前記メイン配管上の、前記ノズルに隣接する位置に設けられ、該メイン配管からノズルに供給される液状被包装物の流量を調整する絞り弁と、
を備え、
前記バッファー装置は、前記被加圧媒体の容積を減らしながら液状被包装物を蓄積する一方、その蓄積した液状被包装物を、被加圧媒体の容積を増やしながら、その被加圧媒体の圧力によって流出させるように構成されていることを特徴とする液状被包装物の吐出制御装置。
【請求項２】
前記バッファー装置は、前記被加圧媒体の圧力を調整する圧力調整手段を備えることを特徴とする請求項１に記載の液状被包装物の吐出制御装置。
【請求項３】
前記被加圧媒体は、空気、窒素またはアルゴンの気体であることを特徴とする請求項１または２に記載の液状被包装物の吐出制御装置。
【請求項４】
前記バッファー装置は、上部の前記被加圧媒体と下部の蓄積した液状被包装物とを仕切る仕切り部材を具えることを特徴とする請求項３に記載の液状被包装物の吐出制御装置。
【請求項５】
前記バッファー装置は、前記メイン配管から分岐した液状被包装物が進入する入口部と、該バッファー装置内の液状被包装物を、前記メイン配管へ戻す出口部とを有し、該入口部と出口部とが離隔されていることを特徴とする請求項１〜４のいずれか１項に記載の液状被包装物の吐出制御装置。
【請求項６】
前記ノズルは、液状被包装物が充填包装された包装体を連続して製造する充填包装機に備えられ、長尺の包装用フィルムを送り出しながら、該包装用フィルムの両側縁どうしを走行方向に縦シールして筒状にした、該筒状の包装用フィルム内に液状被包装物を充填するものであることを特徴とする請求項１〜５のいずれか１項に記載の液状被包装物の吐出制御装置。
【請求項７】
ポンプを連続運転させながら、液状被包装物をノズルから所要の流量で連続的または間欠的に吐出する方法であって、
前記ポンプと前記ノズルとをつなぐメイン配管上の、該ノズルの近傍位置に絞り弁を設けると共に、前記ポンプと該絞り弁との間に、前記メイン配管から分岐させて内部に被加圧媒体を有するバッファー装置を設け、
前記ポンプから連続して供給される液状被包装物から、前記絞り弁の開度に応じて所要量を前記ノズルに供給するにあたり、前記ポンプから供給される液状被包装物の流量が、前記ノズルへの供給量に対して過剰な場合には、その余剰分を前記バッファー装置内に前記被加圧媒体の容積を減らしながら蓄積させる一方、前記ポンプから供給される液状被包装物の流量が、前記ノズルへの供給量に対して不足する場合には、その不足分を、前記バッファー装置内に蓄積した液状被包装物を前記被加圧媒体の容積を増やしながら、その被加圧媒体の圧力によって供給することで補うことを特徴とする液状被包装物の吐出制御方法。
【請求項８】
前記バッファー装置は、前記被加圧媒体の圧力を調整する圧力調整手段を備えることを特徴とする請求項７に記載の液状被包装物の吐出制御方法。
【請求項９】
前記被加圧媒体は、空気、窒素またはアルゴンの気体であることを特徴とする請求項７または８に記載の液状被包装物の吐出制御方法。
【請求項１０】
前記バッファー装置は、上部の前記被加圧媒体と下部の蓄積した液状被包装物とを仕切る仕切り部材を具えることを特徴とする請求項９に記載の液状被包装物の吐出制御方法。
【請求項１１】
前記ノズルは、液状被包装物が充填包装された包装体を連続して製造する充填包装機に備えられ、長尺の包装用フィルムを送り出しながら、該包装用フィルムの両側縁どうしを走行方向に縦シールして筒状にすると共に、該筒状の包装用フィルム内に液状被包装物を充填するものであることを特徴とする請求項７〜１０のいずれか１項に記載の液状被包装物の吐出制御方法。
【発明の詳細な説明】
【技術分野】
【０００１】
本発明は、ポンプによって液状ないし粘稠状あるいはゼリー状等の流動性物質からなる被包装物（以下、「液状被包装物」と言う。）を連続で供給しながら、該液状被包装物を所要の流量で、かつ所要のタイミングでノズルに供給することができる液状被包装物の吐出制御装置と吐出制御方法に関する。
【背景技術】
【０００２】
近年、軟質の包装用フィルムによって飲食物、調味液、医薬品、化粧品等の液状の被包装物を自動充填包装することが広く一般に行われている。
【０００３】
このような液状被包装物の充填包装機は、例えば、特許文献１に記載されているように、一軸もしくは二軸延伸ベースフィルム層と無延伸のシーラント層との積層構造からなる包装用フィルム、またはベースフィルム層に感熱接着層をパートコートした単層構造になる包装用フィルムを、シーラント層あるいは感熱接着層が内側になるように中央部で折り返し、その折り返しフィルムの側縁部分を重ね合わせ、一対の縦シールロールによって加熱および加圧することにより互いに溶着させながら下方へ送り、長手方向に延在する縦シール部を形成することで、その包装用フィルムを筒状に成形する。
【０００４】
次いで、この筒状に成形された包装用フィルム内に、ノズルから被包装物を連続的に充填しながら、該包装用フィルムを、横シール装置の、一対の横シールロールのそれぞれの周囲に周方向に等間隔に位置する複数本のヒートシールバーで順次に加熱および加圧することで、該包装用フィルムの内表面同士を溶着して横シール部を形成することで包装袋を連続して製袋する。なお、連続的に製造される包装袋は、横シール箇所の中間部を切断機構により切断して、単包または複数包が連続する連包状態で搬出する。
【先行技術文献】
【特許文献】
【０００５】
【特許文献１】特開平０４−１１４８４１号公報
【発明の概要】
【発明が解決しようとする課題】
【０００６】
このような従来の充填包装機では、上記したように液状被包装物を連続的に充填しながら横シール部を形成する際に、横シールロールのヒートシールバーによって筒状の包装用フィルム内にある液状被包装物を押し出しながら横シールを施すことで、液状被包装物の横シール部内への噛み込みを抑制している。しかしながら、液状の被包装物が例えば、ドレッシングのように粒状物等を含むものである場合には、該粒状物等をヒートシールバーで押し出すことができず、横シール部内に噛み込まれてしまうおそれがあり、このように横シール部内へ粒状物等が噛み込まれてしまうと、美観を損なうばかりでなく、発泡が発生する等、シール不良が生じ、液状被包装物が漏れ出すおそれもある。
【０００７】
そのため、粒状物等を含む液状被包装物を充填包装する場合には、筒状の包装用フィルムへの１の横シール部の形成から、その次の横シール部の形成までの間に、液状被包装物を充填ノズルから間欠的に充填することで、横シール部内への粒状物等の噛み込みを防止しているが、この場合、走行する前記筒状の包装用フィルムへの横シール部の形成のタイミングに合わせて、液状被包装物の送液ポンプを間欠運転や加減速運転させる必要があり、前記送液ポンプから前記充填ノズルまでの圧力損失や、送液ポンプの脈動等によって、液状被包装物の充填のタイミングを正確に合わせることが難しく、横シール部内にシワの発生や、液状被包装物の噛み込み等の問題が生じ、シール不良を十分に抑制することができなかった。
【０００８】
そこで、本発明では、液状被包装物を供給するポンプを、間欠運転や加減速運転させることなく、同条件で運転したまま、液状被包装物を所要の流量で、かつ所要のタイミングでノズルに供給することのできる液状被包装物の吐出制御装置と吐出制御方法を提供することを目的とする。
【課題を解決するための手段】
【０００９】
前記目的の実現に向けた研究の中で、発明者は、タンクから液状被包装物を所要の流量で連続して供給するポンプと、該ポンプと液状被包装物を吐出するノズルとをつなぐメイン配管と、内部に被加圧媒体を有し、液状被包装物を前記メイン配管から分岐させて一時的に蓄積するバッファー装置と、前記メイン配管上の、前記ノズルに隣接する位置に設けられ、該メイン配管からノズルに供給される液状被包装物の流量を調整する絞り弁と、を備え、前記バッファー装置は、前記被加圧媒体の容積を減らしながら液状被包装物を蓄積する一方、その蓄積した液状被包装物を、被加圧媒体の容積を増やしながら、その被加圧媒体の圧力によって流出させるように構成されていることを特徴とする液状被包装物の吐出制御装置が有効であることを突き止め、本発明を開発するに到った。
【００１０】
また、本発明では、ポンプを連続運転させながら、液状被包装物をノズルから所要の流量で連続的または間欠的に吐出する方法であって、前記ポンプと前記ノズルとをつなぐメイン配管上の、該ノズルの近傍位置に絞り弁を設けると共に、前記ポンプと該絞り弁との間に、前記メイン配管から分岐させて内部に被加圧媒体を有するバッファー装置を設け、前記ポンプから連続して供給される液状被包装物から、前記絞り弁の開度に応じて所要量を前記ノズルに供給するにあたり、前記ポンプから供給される液状被包装物の流量が、前記ノズルへの供給量に対して過剰な場合には、その余剰分を前記バッファー装置内に前記被加圧媒体の容積を減らしながら蓄積させる一方、前記ポンプから供給される液状被包装物の流量が、前記ノズルへの供給量に対して不足する場合には、その不足分を、前記バッファー装置内に蓄積した液状被包装物を前記被加圧媒体の容積を増やしながら、その被加圧媒体の圧力によって供給することで補うことを特徴とする液状被包装物の吐出制御方法を提案する。
【００１１】
本発明においては、さらに下記のような構成にすることがより好ましい解決手段となる。即ち、
（１）前記バッファー装置は、前記被加圧媒体の圧力を調整する圧力調整手段を備えること、
（２）前記被加圧媒体は、空気、窒素またはアルゴンの気体であること、
（３）前記バッファー装置は、上部の前記被加圧媒体と下部の蓄積した液状被包装物とを仕切る仕切り部材を具えること、
（４）前記バッファー装置は、前記メイン配管から分岐した液状被包装物が進入する入口部と、該バッファー装置内の液状被包装物を、前記メイン配管へ戻す出口部とを有し、該入口部と出口部とが離隔されていること、
（５）前記ノズルは、液状被包装物が充填包装された包装体を連続して製造する充填包装機に備えられ、長尺の包装用フィルムを送り出しながら、該包装用フィルムの両側縁どうしを走行方向に縦シールして筒状にした、該筒状の包装用フィルム内に液状被包装物を充填するものであること、
である。
【発明の効果】
【００１２】
本発明によれば、液状被包装物のポンプと液状被包装物を吐出するノズルとをつなぐメイン配管から分岐して、内部に被加圧媒体を有するバッファー装置を設けたことにより、ポンプからの液状被包装物の吐出量とノズルからの吐出量との差を該バッファー装置によって調整することができるため、例えば、液状被包装物を間欠的に充填する場合や、流量に緩急をつけて充填（加減吐出）させる場合にも、前記ポンプを、定量吐出（一定回転）条件で連続で運転させたまま、所要量の液状被包装物をノズルから吐出させることができる。
例えば、ポンプからの液状被包装物の吐出量が、ノズルからの吐出量に対して過剰になると、その余剰分が、バッファー装置内に、前記被加圧媒体の容積を減らしながら蓄積され、一方、ポンプの吐出量が、ノズルからの吐出量に対して不足すると、前記メイン配管内の圧力低下に伴って、バッファー装置内に蓄積された被加圧媒体が容積を増やしながらその被加圧媒体の圧力によって、該バッファー装置内に蓄積された液状被包装物をメイン配管へと押し出して、その不足分を補うことができる。
【００１３】
また、本発明では、前記ポンプと前記ノズルとをつなぐメイン配管上の、該ノズルに隣接する位置に流量調整用の絞り弁を設けたことで、該絞り弁の開度変更による流量の変化を、タイムラグを生じることなく、レスポンス良くノズルに伝えることができるため、例えば、液状被包装物を充填包装機において連続して製造される包装袋内に間欠充填する場合にも、充填包装機の包装用フィルムの走行速度や充填条件等に合わせて、タイミングよく液状被包装物を充填することができ、シール不良等の発生を抑制することができる。
【００１４】
また、本発明によれば、液状被包装物を間欠充填する場合に、前記絞り弁を閉状態から開状態にすると、液状被包装物がポンプの吐出圧力と、例えば、圧縮された空気からなる被加圧媒体の膨張する圧力とによって瞬間的に押し出され、前記ノズルから勢いよく高速で吐出させることができるため、充填速度を従来よりも速めることができ生産性を向上させることができる。さらに、本発明では、前記バッファー装置に、内部の被加圧媒体の圧力を調整する圧力調整手段を設けることで、例えば、前記被加圧媒体の圧縮圧力を高めて、前記ノズルからの液状被包装物の吐出速度をさらに速める等、液状被包装物の吐出速度をコントロールすることができる。
【００１５】
前記被加圧媒体は、圧縮可能な空気や窒素、アルゴンなどの気体であることが好ましいが、液状被包装物が空気等の被加圧媒体を溶解しやすい性質や、被加圧媒体によって影響を受けやすい性質を有する場合には、被加圧媒体を油等の液体とすることもできる。
【００１６】
また、本発明では、バッファー装置の上部に位置する被加圧媒体と、下部に位置する液状被包装物との間に、その両者の混合を抑制する仕切り部材として、例えば仕切り板を設け、前記したように液状被包装物のポンプからの吐出量およびノズルからの吐出量に応じて、バッファー装置上部に位置する前記被加圧媒体の容積が増減すると、前記仕切り板を介して、液状被包装物がバッファー装置内に蓄積、あるいは蓄積された液状被包装物がメイン配管へと押し出されることになる。
【００１７】
さらに、本発明によれば、前記バッファー装置に、メイン配管から分岐した液状被包装物が進入する入口部と、該バッファー装置からメイン配管へと戻る出口部を設け、入口部と出口部との間に例えば壁部を設ける等して、該入口部と出口部とが完全に離隔されるような構造とすることで、バッファー装置内に送給された液状被包装物が順次に押し出され、先に蓄積された液状被包装物がバッファー装置内に残留することがなく、常に新鮮な液状被包装物をノズルから吐出させることができる。
【００１８】
また、本発明の吐出制御装置を充填包装機に備えれば、該充填包装機内を走行する包装用フィルムへの横シール部の形成のタイミングに合わせて、ポンプを間欠運転または加減速運転させる必要がなく、横シール部内へのシワの発生や液状被包装物の噛み込み等の問題を解決することができる。
【図面の簡単な説明】
【００１９】
【図１】充填包装機の一例を示す模式図である。
【図２】本発明の液状被包装物の吐出制御装置の一実施形態を示す模式図である。
【図３】バッファー装置の他の実施形態を示す模式図である。
【図４】バッファー装置の他の実施形態を示す模式図である。
【００２０】
以下は、本発明の液状被包装物の吐出制御装置および吐出制御方法について、これを充填包装機に設けられるノズルの吐出制御に適用させた場合を一実施形態として説明する。なお、本発明の吐出制御装置および吐出制御方法は、充填包装機に適用することに限定されるものではなく、液状被包装物をノズルから吐出する各種の装置に適用することができる。
【００２１】
図１は、充填包装機の一例としての縦型充填包装機の構成を示す模式図である。なお、充填包装機としては、このような縦型充填包装機のみならず、縦型ピロー充填包装機や横ピロー充填包装機、多列充填包装機等の各種の包装機に好適に利用することができる。
【００２２】
図１の充填包装機２０は、例えば、２軸延伸したナイロンフィルム、ポリエチレンテレフタレートフィルム等からなるベースフィルム層と、例えば各種ポリエチレン樹脂等からなるシーラント層とを積層した積層フィルムからなる１枚の長尺の包装用フィルムをその長手方向に連続的に走行させながら、そのシーラント層が互いに向かい合わせになるように幅方向に折り返してその両側縁部同士を重ね合わせて、その包装用フィルムを多数の包装袋に連続的に製袋しつつ、各包装袋内に飲食物、調味料、医薬品、化粧品その他の液状ないし粘稠状あるいはゼリー状等の流動性物質からなる液状被包装物を自動的に充填するものであり、図に示すように主として、フィルム折返し部２１と、縦シール部形成部２２と、被包装物供給部２５と、横シール部形成部としての第１の横シール部形成部２６および第２の横シール部形成部２９と、包装袋Ｗを単包または複数包ずつに切断する切断部３０とを具えてなる。なお、第１の横シール部形成部２６および第２の横シール部形成部２９は、一対のシールロールやシール板等によって構成することができる。
【００２３】
フィルム折返し部２１では、フィルムロールＲから連続的に繰出されて走行する１枚の長尺の包装用フィルムＦを上方から下方へ連続的に走行させながら、その走行中にＵ字状および逆Ｌ字状の２本のガイドロッドで案内しつつ包装用フィルムＦをそのシーラント層が互いに向かい合わせになるように幅方向に折り返し、図では包装用フィルムＦの左端部に位置するその両側縁部同士を重ね合わせる。
【００２４】
縦シール部形成部２２では、包装用フィルムＦの折り返して重ね合わせた両側縁部同士を１対の縦シールロール２３によって包装用フィルムＦの長手方向（縦方向）に連続的に加熱および加圧して縦シール部２４を形成し、これにより包装用フィルムＦを筒状に形成する（筒状包装用フィルムＦ’）。
【００２５】
被包装物供給部２５では、後述する図２に示す本発明の吐出制御装置１から供給される液状被包装物Ｍを、上記１対の縦シールロール２３の間を上方から下方へ貫通しているノズル７によって、筒状包装用フィルムＦ’の内側へ連続的に、または所定量ずつ間欠的に充填する。
【００２６】
第１横シール部形成部２６では、筒状包装用フィルムＦ’をその長手方向に一定間隔をおいて、図では紙面と直交する方向に平行に並んだヒートシールロールとして、１対の横シールロール２７によって全幅に亘り加熱しつつ加圧して互いに溶着させて間欠的に横シール部２８を形成する。その後、第１横シール部形成部２６と同様の構成の第２横シール部形成部２９で、横シール部２８を再押圧して該シールを確実なものとし、これにより多数の包装体Ｗが包装用フィルムＦの長手方向へ繋がった状態で連続的に製袋される。次いで、連続包装された包装体Ｗの、横シール部２８の走行方向略中間部を切断部３０によって切断することで、個々の包装体Ｗが得られることになる。
【００２７】
吐出制御装置１は、図２に示すように主に液状被包装物Ｍのタンク２、ポンプ３、メイン配管４、バッファー装置５、絞り弁６および充填包装機２０内に位置するノズル７から構成されている。
【００２８】
なお、ポンプ３は、吐出圧力を加減できるものであればどのようなものであっても良く、例えば、ロータリーポンプや一軸偏心ねじポンプを用いることができる。
【００２９】
バッファー装置５は、メイン配管４から分岐した位置にあり、例えば内部が空洞の容器からなり、被加圧媒体８が封入されている。なお、被加圧媒体８としては、空気や窒素、アルゴンなどの圧縮可能な気体を用いることが好ましいが、油などの液体、バネ等の伸縮手段を用いてもよく、液状被包装物Ｍが、被加圧媒体８を溶解しやすい性質からなる場合や、被加圧媒体８によって影響を受けやすい性質を有する場合に好適である。
【００３０】
絞り弁６は、ノズル７に流入する液状被包装物Ｍの流量を制御する役割を有し、ボール弁やバタフライ弁からなるモーターバルブを用いることが好ましいが、エアー駆動式バルブ等を用いることもできる。
【００３１】
以下、バッファー装置５内の被加圧媒体８が空気からなり、充填包装機２０内を走行する包装用フィルムＦ’内にノズル７を介して液状被包装物Ｍを間欠充填する場合を一実施形態として説明する。
運転開始にあたり、まず絞り弁６を閉止した状態（ノズル７への液状被包装物Ｍの流入を阻止した状態）で、液状被包装物Ｍをタンク２からポンプ３によってメイン配管４内に連続して送給する。絞り弁６の閉止によって、メイン配管４の下流側への流入が阻止された液状被包装物Ｍが、メイン配管４から分岐されたバッファー装置５内へと流入し、該流入した液状被包装物Ｍによって、バッファー装置５内部の空気が徐々に圧縮（容積が減少）されていく。バッファー装置５内には、圧縮された被加圧媒体８（空気）の圧力とポンプ３の吐出圧力とが平衡状態になるまで液状被包装物Ｍが流入し、液面が上昇していく。
【００３２】
絞り弁６が、例えば充填包装機２０の制御部からの指示により、横シール部２８の形成に合わせて開放されると、液状被包装物Ｍが、絞り弁６を通ってノズル７へ押し出されると同時に、メイン配管４内の圧力の低下に伴ってバッファー装置５内の圧縮された被加圧媒体８（空気）が膨張（容積が増加）し、該膨張した被加圧媒体８（空気）によってバッファー装置５内に蓄積されていた液状被包装物Ｍがメイン配管４側へ押し出される。このときノズル７へは、ポンプ３の吐出圧力と、バッファー装置５内の圧縮された被加圧媒体８（空気）の膨張する力とが合算した高い圧力で、液状被包装物Ｍが瞬間的に押し出されるため、充填速度が速くなり、間欠充填において包装体Ｗを高速で製造することができる。
【００３３】
続いて、絞り弁６が充填包装機２０の制御部からの指示により閉止されると、メイン配管４下流への流入が阻止された液状被包装物Ｍがバッファー装置５内へ流入して蓄積し、これに伴って、バッファー装置５内の、先に膨張した被加圧媒体８（空気）が再度、圧縮されていく。
【００３４】
このように、バッファー装置５内の被加圧媒体８（空気）は、ノズル７からの液状被包装物Ｍの間欠充填に伴って（バッファー装置５内への液状被包装物Ｍの蓄積および流出に伴って）圧縮および膨張を繰り返し、これによってポンプ３から連続的に供給される液状被包装物Ｍを、バッファー装置５内に蓄積すると共に、該蓄積された液状被包装物Ｍをメイン配管４へと供給することができる。したがって、バッファー装置５によって、絞り弁６の開閉やポンプ３の脈動等による液状被包装物Ｍの流量の変動を吸収することができるようになり、被包装物Ｍを間欠充填する場合にも、ポンプ３を一定の条件で連続運転しながら、ノズル７から一定量の液状被包装物Ｍを高速で間欠吐出させることができる。
【００３５】
なお、絞り弁６の開度を制御して液状被包装物Ｍの流量に緩急をつけてノズル７から吐出（加減吐出）させる場合にも、メイン配管４内の液状被包装物Ｍの流量の変動に合わせて前記と同様にバッファー装置５内の被加圧媒体８（空気）が圧縮と膨張を繰り返すことで、前記送液ポンプ３を、定量吐出（一定回転）条件のまま連続で運転させながら、ノズル７から所定量の液状被包装物Ｍを吐出させることができる。
【００３６】
そのため、従来のように、走行する包装用フィルムＦへの横シール部２８の形成のタイミングに合わせて、ポンプ３を間欠運転または加減速運転させる必要がなく、横シール部２８内へのシワの発生や液状被包装物Ｍの噛み込み等の問題を解決することができる。
【００３７】
また、絞り弁６は、メイン配管４上のノズル７に隣接した位置に設ける。これにより、絞り弁６の開度変更による流量の変化を、タイムラグを生じることなく、レスポンス良くノズル７に伝えることができるため、液状被包装物Ｍを間欠充填や加減吐出する場合にも、充填包装機２０の包装用フィルムＦの走行速度や横シール部２８の形成に合わせて、液状被包装物Ｍを所要のタイミングで筒状包装用フィルムＦ’内に充填することができ、シール不良等の発生を抑制することができる。
【００３８】
さらに、バッファー装置５には、図２に示すように被加圧媒体８からの液状被包装物Ｍへの圧力を調整する圧力調整手段１１として、加減圧ポンプと制御弁等を設けることが好ましく、該圧力調整手段１１によってバッファー装置５内の被加圧媒体８の圧力を制御することで、バッファー装置５内の液状被包装物Ｍの蓄積量を増減させたり、圧力調整手段１１を絞り弁６の開閉と同期して制御し、バッファー装置５内の被加圧媒体８の圧力を調整することで、ノズル７からの液状被包装物Ｍの吐出速度を適宜、加減させることができる。
【００３９】
なお、バッファー装置５内の被加圧媒体８の圧力は、ノズル７からの液状被包装物Ｍの吐出に合わせて変動し、例えば、間欠充填する場合に、絞り弁６が開状態となってノズル７から液状被包装物Ｍが吐出されると、被加圧媒体８の圧力は低下し、絞り弁６が閉状態となると被加圧媒体８の圧力が上昇することを繰り返す。そのため、バッファー装置５内の被加圧媒体８の圧力を常時計測し、その圧力の波形を観察することで、該波形の乱れからノズル７や絞り弁６の詰まり等の不具合の発生を予測し、吐出制御装置１の故障等に伴う生産の停止を予防することができる。さらに、バッファー装置５に、被加圧媒体８の圧力の異常を警告する手段や、安全弁等の圧力を逃す手段、吐出制御装置１や充填装置２０を停止する手段を設ければ、安全性を向上させることができる。
【００４０】
図３にバッファー装置５の他の一実施形態を示す。
このバッファー装置５の内部には、上部に位置する被加圧媒体８と下部に位置する液状被包装物Ｍとの間に、両者の混合を抑制するために仕切り手段として、例えば仕切り板９が設けられている。とくに、被加圧媒体８が液体からなる場合には、被加圧手段８と液状被包装物Ｍとの混合を抑制するための仕切り手段が必要であり、被加圧媒体８（液体）の容積が、ポンプ３の吐出流量とノズル７の吐出量に応じて増加または減少するのに伴い、仕切り板９を介して液状被包装物Ｍをバッファー装置５内に蓄積または蓄積された液状被包装物Ｍをメイン配管４へと押し出す。
【００４１】
なお、被加圧媒体８が液体からなる場合には、例えば、図３に示すように被加圧媒体８のタンク１０等からなる加圧手段を設け、タンク１０の液圧によってバッファー装置５内の被加圧媒体８の容積の増加および減少を調整し、これによって液状被包装物Ｍのバッファー装置５内への蓄積および流出量を調整する。
【００４２】
バッファー装置５は、図４に他の一実施形態として示したように、バッファー装置５にメイン配管４から分岐した被包装物Ｍが進入する入口部５ａと、バッファー装置５からメイン配管４へと戻る出口部５ｂを設けると共に、該入口部５ａと出口部５ｂとを例えば、隔壁１２等を設けて完全に離隔された構造にしてもよい。これにより、ポンプ３から送給された液状被包装物Ｍは、入口部５ａから流入した順にバッファー装置５を通って出口部５ｂからノズル７へと向かうことになり、常に新鮮な液状被包装物Ｍをノズル７から吐出させることができる。なお、バッファー装置５の構造は、液状被包装物Ｍが流入した順に流出できればよく、例えば、入口部５ａをバッファー装置５の高位置に設け、出口部５ｂを低位置に設けて、液状被包装物Ｍが入口部５ａから出口部５ｂに向かって流れるような構造にしてもよい。
【００４３】
本発明の吐出制御装置および吐出制御方法は、液状被包装物をノズルから吐出する、例えば、ビンや缶等の各種包装容器に充填を行う機械等の装置への適用が考えられる。
【符号の説明】
【００４４】
１  吐出制御装置
２  タンク
３  ポンプ
４  メイン配管
５  バッファー装置
６  絞り弁
７  ノズル
８  被加圧媒体
９  仕切り板
１０  タンク
１１  圧力調整手段
１２  隔壁
２０  充填包装機
２１  フィルム折返し部
２２  縦シール部形成部
２３  縦シールロール
２４  縦シール部
２５  被包装物供給部
２６  第１横シール部形成部
２７  横シールロール
２８  横シール部
２９  第２横シール部形成部
３０  切断部
Ｒ  フィルムロール
Ｆ  包装用フィルム
Ｆ’  筒状包装用フィルム
Ｍ  液状被包装物
Ｗ  包装体
【図１】
2020075732.tif 000003
【図２】
2020075732.tif 000004
【図３】
2020075732.tif 000005
【図４】
2020075732.tif 000006